【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】
長尺状のフィルムシートを順次繰出して供給し、前記フィルムシートをその長手方向に伸びる中心線に沿って二つ折りに重ね、該折り部を袋の底部とし、前記重ね合わせたフィルムシートに前記長手方向で所定の間隔で前記長手方向に略直行する方向に所定の幅のサイドシール部を形成し、該サイドシール部の幅方向所定の切断位置で前記長手方向に略直行する方向に切断することにより前記長手方向で先行する袋の部分を順次後行するフィルムシートから切離して袋を製造する製袋方法において、前記切離される袋の部分において前記フィルムシートを吸着手段で吸着して保持した状態で前記切断位置においてフィルムを切断し、切断後前記切離される袋の部分への該吸着手段の吸着を停止し、前記フィルムシートを挟んで前記吸着手段と反対側から、前記吸着手段が前記切離される袋の部分への吸着を停止する前に前記切離される袋の部分に移送吸着手段を吸着させ、前記吸着手段が前記切離される袋の部分への吸着を停止した後に前記切離される袋を所定の位置へ移送させることを特徴とする、製袋方法。
【請求項２】
請求項1に記載の製袋方法において、前記吸着手段は、所定の幅で前記フィルムを上下方向全長に渡って受止めて支持することを特徴とする、製袋方法。
【請求項３】
請求項１又は２に記載の製袋方法において、前記移送吸着手段は、前記切離される袋の袋口付近を受止めて支持することを特徴とする、製袋方法。
【請求項４】
請求項1乃至３のいずれか１に記載の製袋方法において、前記サイドシール部は、互いに隣合う二つの袋の、先行する袋側の後行縁側のサイドシール部と、後行する袋側の先行縁側のサイドシール部と、それらの間の余剰部とが一体に形成され、前記切断位置は前記余剰部の両側縁部に設定され、前記吸着手段は前記余剰部にも吸着し、前記フィルムシートの切断後に前記余剰部への吸着を停止することを特徴とする、製袋方法。
【請求項５】
請求項４記載の製袋方法において、前記吸着手段は前後進可能であり、前進位置において前記フィルムシートに吸着し、前記余剰部への吸着は、前記フィルムシートが切断された後前記吸着装置が所定の位置まで後退したときに停止され、前記余剰部を解放することを特徴とする、製袋方法。
【請求項６】
長尺状のフィルムシートを順次繰出して供給するフィルム供給装置と、前記フィルムシートをその長手方向中心線に沿って二つ折りにして重ねる重ね合わせ装置と、前記重ね合わせたフィルムシートに前記長手方向所定の間隔で前記長手方向に略直行する方向に所定の幅のサイドシールを施すサイドシール形成装置と、前記サイドシール部の幅方向所定の位置の切断位置で前記フィルムシートを切断し、前記長手方向で先行する袋を前記フィルムシートから切離す切断装置とを備えた製袋装置において、前記製袋装置はさらに前記フィルムシートの切断時に前記フィルムシートに吸着する吸着装置と、前記切離される袋を所定の位置へ移送する移送吸着装置を備え、該吸着装置は前記切離される袋の部分において前記フィルムシートに吸着して保持する吸着部材を備え、前記移送吸着装置は前記フィルムシートを挟んで前記吸着装置と反対側に配置され、前記フィルムシートの前記切離される袋の部分に吸着する吸着部材を備えていることを特徴とする、製袋装置。
【請求項７】
請求項６に記載の製袋装置において、前記吸着装置は、所定の幅で前記フィルムシートを上下方向全長に渡って受止める支持面を備えていることを特徴とする、製袋装置。
【請求項８】
請求項６又は７に記載の製袋装置において、前記移送吸着装置は、前記切離される袋の袋口付近を受止める支持面を備えることを特徴とする、製袋装置。
【請求項９】
請求項６乃至８のいずれか１に記載の製袋装置において、前記サイドシール形成装置は、互いに隣合って形成される二つの袋の、先行する袋側の後行縁側のサイドシール部と、後行する袋側の先行縁側のサイドシール部と、それらに間の余剰部とを一体的に形成し、前記吸着装置は、前記余剰部に吸着する吸着部材をも備えることを特徴とする、製袋装置。
【請求項１０】
請求項９記載の製袋装置において、前記吸着装置は前後進可能に構成され、前進位置において前記フィルムシートに吸着し、前記余剰部への吸着は、前記フィルムシートの切断後該吸着装置が所定の位置まで後退したときに停止されて前記余剰部を解放することを特徴とする、製袋装置。
【手続補正２】
【補正対象書類名】明細書
【補正対象項目名】０００４
【補正方法】変更
【補正の内容】
【０００４】
【発明が解決しようとする課題】
本発明は上記従来の問題点に鑑みなされたものであり、袋の隅部のコーナーカットを備えた袋において、前述したような突出段部が形成されないようにした製袋方法及び装置を提供することをその課題とする。
また本発明は、サイドカットをする際にシートがずれることがなく、正確な位置で切断できる製袋方法及び装置を提供する。
【手続補正３】
【補正対象書類名】明細書
【補正対象項目名】０００５
【補正方法】変更
【補正の内容】
【０００５】
【課題を解決するための手段】
上記課題を解決するために、本発明は、長尺状のフィルムシートを順次繰出して供給し、フィルムシートをその長手方向に伸びる中心線に沿って二つ折りに重ね、該重ね合わせ部を袋の底部し、重ね合わせたフィルムシートにその長手方向で所定の間隔で長手方向に略直行する方向に所定の幅のサイドシール部を形成し、該サイドシール部の幅方向所定の切断位置でフィルムシートの長手方向に略直行する方向に切断して、長手方向で先行する袋の部分を順次後行するフィルムシートから切離して袋を製造する製袋方法において、切離される袋の部分においてフィルムシートを吸着手段で吸着して保持した状態でフィルムシートを切断し、切断後、切離される袋の部分への該吸着手段の吸着を停止し、他方、フィルムシートを挟んで吸着手段と反対側から、吸着手段が切離される袋の部分への吸着を停止する前にこの切離される袋の部分に移送吸着手段を吸着させ、吸着手段が切離される袋の部分への吸着を停止した後に切離される袋を所定の位置へ移送させるようにした製袋方法を提供する。
【手続補正４】
【補正対象書類名】明細書
【補正対象項目名】０００６
【補正方法】変更
【補正の内容】
【０００６】
本願発明はさらに、上記の吸着手段が、少なくとも切断位置の両側においてそれぞれ所定の幅でフィルムシートを上下方向全長に渡って受止めて支持するようにした製袋方法を提供する。さらには、上記の移送吸着手段が切離される袋の袋口付近を受止めて支持するようにした製袋方法をも提供する。
【手続補正５】
【補正対象書類名】明細書
【補正対象項目名】０００７
【補正方法】変更
【補正の内容】
【０００７】
本発明はさらに、上記サイドシール部は、互いに隣合う二つの袋の、先行する袋側の後行縁側のサイドシール部と、後行する袋側の先行縁側のサイドシール部と、それらに間の余剰部とが一体に形成され、上記切断位置は上記余剰部の両側縁部に設定され、吸着手段が、余剰部と、それぞれの切断位置に関して余剰部と反対側で吸着するようにした製袋方法を提供する。さらに、上記吸着手段が前後進可能となっており、前進位置においてフィルムシートに吸着し、余剰部への吸着は、フィルムシートが切断された後、吸着装置が所定の位置まで後退したときに停止されて余剰部を解放するようにした製袋方法も提供する。
【手続補正６】
【補正対象書類名】明細書
【補正対象項目名】０００８
【補正方法】変更
【補正の内容】
【０００８】
本発明は上記課題を解決するために、さらに、長尺状のフィルムシートを順次繰出して供給するフィルム供給装置と、そのフィルムシートをその長手方向中心線に沿って二つ折りにして重ねる重ね合わせ装置と、重ね合わせたフィルムシートにその長手方向所定の間隔で長手方向に略直行する方向に所定の幅のサイドシールを施すサイドシール形成装置と、サイドシール部の幅方向所定の位置の切断位置で前記フィルムシートを切断し、長手方向で先行する袋をフィルムシートから切離す切断装置とを備えた製袋装置において、さらにフィルムシートの切断時にフィルムシートに吸着する吸着装置と、切離される袋を所定の位置へ移送する移送吸着装置を備え、該吸着装置は切離される袋の部分においてフィルムシートに吸着して保持する吸着部材を備え、移送吸着装置はフィルムシートを挟んで吸着装置と反対側に配置され、フィルムシートの切離される袋の部分に吸着する吸着部材を備えている製袋装置を提供する。
【手続補正７】
【補正対象書類名】明細書
【補正対象項目名】０００９
【補正方法】変更
【補正の内容】
【０００９】
本発明はさらに、その吸着装置が、少なくとも切断位置の両側においてそれぞれ所定の幅でフィルムシートを上下方向全長に渡って受止める支持面を備えている製袋装置を提供する。さらに、その移送吸着装置が、切離される袋の袋口付近を受止める支持面を備える製袋装置を提供する。
【手続補正８】
【補正対象書類名】明細書
【補正対象項目名】００１０
【補正方法】変更
【補正の内容】
【００１０】
本発明はさらに、そのサイドシール形成装置が、互いに隣合って形成される二つの袋の、先行する袋側の後行縁側のサイドシール部と、後行する袋側の先行縁側のサイドシール部と、それらに間の余剰部とを一体的に形成し、吸着装置が、上記余剰部に吸着する吸着部材をも備えている製袋装置を提供する。さらに、吸着装置が前後進可能に構成され、前進位置においてフィルムシートに吸着し、余剰部への吸着は、フィルムシートの切断後該吸着装置が所定の位置まで後退したときに停止されて余剰部を解放する製袋装置をも提供する。